(57)【要約】【解決手段】嫌気処理部（耐気性部１、絶対嫌気性部２）と好気処理部３と固液分離部４とを備えている。固液分離部４からの処理汚泥１３を、嫌気処理部（耐気性部１、絶対嫌気性部２）で、台所排水２５と便所排水２６とに混合する汚泥３０，３１として返送するとともに、固液分離部４からの処理汚泥１３を、好気処理部３で、風呂場排水２７と洗濯排水２８と洗面所排水２９とに混合する汚泥３２，３３，３４として返送する。【効果】嫌気処理部（耐気性部１、絶対嫌気性部２）の処理負担を小さくすることができる。【選択図】図１
2006181466.tif 000002
【特許請求の範囲】
【請求項１】
流入汚水に対し微生物を働かせることによりその流入汚水を分解処理する嫌気処理を行う嫌気処理部と、この嫌気処理部で処理された処理汚水に対し酸素供給条件下で微生物を働かせることによりその処理汚水を分解処理する好気処理部と、この好気処理部で処理された処理汚水を処理汚泥と処理水とに分離する固液分離部とを備え、前記嫌気処理部に流入する排水よりもＢＯＤ値の小さい排水を前記好気処理部に流入することを特徴とする汚水処理装置。
【請求項２】
前記嫌気処理部に流入する排水は台所排水と便所排水とのうち少なくともいずれかの排水であり、前記好気処理部に流入する排水は風呂場排水と洗濯排水と洗面所排水とのうち少なくともいずれかの排水であることを特徴とする請求項１に記載の汚水処理装置。
【請求項３】
前記固液分離部からの処理汚泥を、前記好気処理部に流入する排水と混合する汚泥として返送するとともに、前記嫌気処理部に流入する排水と混合する汚泥として返送することを特徴とする請求項１または請求項２に記載の汚水処理装置。
【請求項４】
流入汚水に対し微生物を働かせることによりその流入汚水を分解処理する嫌気処理を行う嫌気処理部と、この嫌気処理部で処理された処理汚水に対し酸素供給条件下で微生物を働かせることによりその処理汚水を分解処理する好気処理部と、この好気処理部で処理された処理汚水を処理汚泥と処理水とに分離する固液分離部とを備え、
この固液分離部からの処理汚泥を、前記好気処理部で、風呂場排水と洗濯排水と洗面所排水とのうち少なくともいずれかの排水と混合する汚泥として返送する
ことを特徴とする汚水処理装置。
【請求項５】
流入汚水に対し微生物を働かせることによりその流入汚水を分解処理する嫌気処理を行う嫌気処理部と、この嫌気処理部で処理された処理汚水に対し酸素供給条件下で微生物を働かせることによりその処理汚水を分解処理する好気処理部と、この好気処理部で処理された処理汚水を処理汚泥と処理水とに分離する固液分離部とを備え、
この固液分離部からの処理汚泥を、前記嫌気処理部で、台所排水と便所排水とのうち少なくともいずれかの排水と混合する汚泥として返送するとともに、
前記固液分離部からの処理汚泥を、前記好気処理部で、風呂場排水と洗濯排水と洗面所排水とのうち少なくともいずれかの排水と混合する汚泥として返送する
ことを特徴とする汚水処理装置。
【発明の詳細な説明】
【技術分野】
【０００１】
本発明は、微生物を利用した汚水処理装置に関するものである。
【背景技術】
【０００２】
下記特許文献１において、汚水処理装置は、流入汚水１０に対し微生物を働かせることによりその流入汚水１０を分解処理する嫌気処理を行う嫌気処理部１，２と、この嫌気処理部１，２で処理された処理汚水１３に対し酸素供給条件下で微生物を働かせることによりその処理汚水１３を分解処理する好気処理部３と、この好気処理部３で処理された処理汚水１４を処理汚泥１１と処理水１５とに分離する固液分離部４とを備えている。この固液分離部４からの処理汚泥１１は、この嫌気処理部１，２で流入汚水１０と混合する汚泥として直接返送されるとともに、この好気処理部３で処理汚水１３と混合する汚泥として直接返送される。
【特許文献１】特開２００３−２５１３９１号公報
【発明の開示】
【発明が解決しようとする課題】
【０００３】
一般に、流入汚水１０にはＢＯＤ値の小さい汚水（例えば、風呂場排水や洗濯排水や洗面所排水など、比較的汚染度の低い汚水）やＢＯＤ値の大きい汚水（例えば、台所排水や便所排水など、比較的汚染度の高い汚水）が混在している。しかし、汚染度の高い汚水ばかりでなく汚染度の低い汚水もすべて嫌気処理部１，２に供給すると、嫌気処理部１，２の処理負担が大きくなる問題があった。
【０００４】
この発明は、嫌気処理部の処理負担を小さくすることを目的としている。
【課題を解決するための手段】
【０００５】
後記実施形態の図面（図１）の符号を援用して本発明を説明する。
請求項１，４，５の発明にかかる汚水処理装置は、流入汚水（７）に対し微生物を働かせることによりその流入汚水（７）を分解処理する嫌気処理を行う嫌気処理部（１，２）と、この嫌気処理部（１，２）で処理された処理汚水（９）に対し酸素供給条件下で微生物を働かせることによりその処理汚水（９）を分解処理する好気処理部（３）と、この好気処理部（３）で処理された処理汚水（１０）を処理汚泥（１３）と処理水（１４）とに分離する固液分離部（４）とを備えている。ちなみに、この流入汚水（７）については、基本的には、台所（２０）の排水路（２０ａ）からの排水（２５）や、便所（２１）の排水路（２１ａ）からの排水（２６）や、風呂場（２２）の排水路（２２ａ）からの排水（２７）や、洗濯場（２３）の排水路（２３ａ）からの排水（２８）や、洗面所（２４）の排水路（２４ａ）からの排水（２９）以外の汚水であるが、これらの排水（２５，２６，２７，２８，２９）が少々混在していてもよく、特に一般家庭で代表的に生じるこれらの排水（２５，２６，２７，２８，２９）の処理に注目した。
【０００６】
さらに、請求項１の発明においては、前記嫌気処理部（１，２）に流入する排水（２５，２６）よりもＢＯＤ値の小さい排水（２７，２８，２９）を前記好気処理部（３）に流入する。
【０００７】
さらに、請求項１の発明を前提とする請求項２の発明において、前記嫌気処理部（１，２）に流入する排水は台所排水（２５）と便所排水（２６）とのうち少なくともいずれかの排水であり、前記好気処理部（３）に流入する排水は風呂場排水（２７）と洗濯排水（２８）と洗面所排水（２９）とのうち少なくともいずれかの排水である。
【０００８】
請求項１〜２の発明では、ＢＯＤ値が比較的小さいために嫌気処理を必ずしも必要としない排水、例えば風呂場排水（２７）や洗濯排水（２８）や洗面所排水（２９）を嫌気処理部（１，２）で処理する必要がなくなり、嫌気処理部（１，２）での汚水処理量を軽減することができる。
【０００９】
さらに、請求項１または請求項２の発明を前提とする請求項３の発明においては、前記固液分離部（４）からの処理汚泥（１３）を、前記好気処理部（３）に流入する排水（２７，２８，２９）と混合する汚泥として返送するとともに、前記嫌気処理部（１，２）に流入する排水（２５，２６）と混合する汚泥として返送する。請求項３の発明では、活性化された処理汚泥（１３）を循環させた好気処理により、処理汚水（１０）の浄化を促進するとともに、汚泥の発生も抑制することができる。また、活性化された処理汚泥（１３）を循環させた嫌気処理により、悪臭源やスカムなどの発生をより一層抑制して軽減するとともに、汚泥の発生も抑制することができる。
【００１０】
さらに、請求項４の発明においては、前記固液分離部（４）からの処理汚泥（１３）を、前記好気処理部（３）で、風呂場排水（２７）と洗濯排水（２８）と洗面所排水（２９）とのうち少なくともいずれかの排水（２７，２８，２９）と混合する汚泥として返送する。請求項４の発明では、ＢＯＤ値が比較的小さいために嫌気処理を必ずしも必要としない風呂場排水（２７）や洗濯排水（２８）や洗面所排水（２９）を嫌気処理部（１，２）で処理する必要がなくなり、嫌気処理部（１，２）での汚水処理量を軽減することができる。また、活性化された処理汚泥（１３）を循環させた好気処理により、処理汚水（１０）の浄化を促進するとともに、汚泥の発生も抑制することができる。
【００１１】
さらに、請求項５の発明においては、前記固液分離部（４）からの処理汚泥（１３）を、前記嫌気処理部（１，２）で、台所排水（２５）と便所排水（２６）とのうち少なくともいずれかの排水（２５，２６）と混合する汚泥として返送するとともに、前記固液分離部（４）からの処理汚泥（１３）を、前記好気処理部（３）で、風呂場排水（２７）と洗濯排水（２８）と洗面所排水（２９）とのうち少なくともいずれかの排水（２７，２８，２９）と混合する汚泥として返送する。請求項５の発明では、請求項４の発明の効果に加え、活性化された処理汚泥（１３）を循環させた嫌気処理により、悪臭源やスカムなどの発生をより一層抑制して軽減するとともに、汚泥の発生も抑制することができる。
【発明の効果】
【００１２】
本発明は、嫌気処理部（１，２）の処理負担を小さくすることができる。
【発明を実施するための最良の形態】
【００１３】
以下、本発明の一実施形態にかかる汚水処理装置について図１を参照して説明する。
この汚水処理装置は、嫌気処理部としての耐気性部１（一次処理部）及び絶対嫌気性部２（二次処理部）と、好気処理部としての微好気性部３と、固液分離部４とを備えている。この固液分離部４には処理汚泥排出口５と処理水排出口６とが設けられている。
【００１４】
流入汚水７（後記台所２０の排水路２０ａからの排水２５や、後記便所２１の排水路２１ａからの排水２６や、後記風呂場２２の排水路２２ａからの排水２７や、後記洗濯場２３の排水路２３ａからの排水２８や、後記洗面所２４の排水路２４ａからの排水２９以外の汚水）は、まず、前記耐気性部１（例えば汚水導入部としての下水管１ａなど、汚水を運ぶ通路を広く意味する汚水管）に至る。この耐気性部１では、後述するように前記固液分離部４から汚泥返送経路１２，１６により返送された処理汚泥１３と各種排水２５，２６とを互いに混合した混合汚泥３０，３１が、例えば下水管１ａに通じるマンホール１ｂから取り込まれ、流入汚水７に混合される。この下水管１ａ内では、前記混合汚泥３０，３１内の微生物が、流入汚水７への混合汚泥３０，３１の取り込み位置Ｐで、それらの混合液８に接触する。
【００１５】
次に、この混合液８は前記絶対嫌気性部２（例えば攪拌機能を有するポンプ井である主処理槽）に至る。この混合液８が前記下水管１ａからこのポンプ井に至るまでの間に、この混合液８に対し前記微生物が働くと、酸素の供給が極めて少ない状態で、この混合液８は、有機酸やアルコールなどの代謝生産物を経て、二酸化炭素や水や硫化水素やメタンや窒素ガスなどに分解処理される。その場合、悪臭発生源となる脂肪及び油を吸着及び酸化して悪臭を除去する。
【００１６】
次に、前記絶対嫌気性部２で処理された処理汚水９は前記微好気性部３（例えばエア供給攪拌機能を有する曝気槽）に至る。この微好気性部３では、後述するように前記固液分離部４から汚泥返送経路１２，１７により返送された処理汚泥１３と各種排水２７，２８，２９とを互いに混合した混合汚泥３２，３３，３４が、処理汚水９に混合される。この処理汚水９に対し酸素供給条件下で前記混合汚泥３２，３３，３４内の微生物が働くと、この処理汚水９において、窒素化合物がアンモニアや硝酸塩などに、一部の有機化合物が二酸化炭素や水になどに、それぞれ分解処理される。その場合、この微生物は曝気槽でスカム発泡を抑制する。
【００１７】
次に、前記微好気性部３で処理された処理汚水１０は前記固液分離部４（例えば最終沈殿槽）に至る。この処理汚水１０は、タイマー式ポンプ１１により前記処理汚泥排出口５から汚泥返送経路１２に排出される処理汚泥１３と、前記処理水排出口６から排出される処理水１４とに分離される。この処理水１４は例えば河川などに放流される。
【００１８】
前記汚泥返送経路１２は分配弁１５を介して汚泥返送経路１６と汚泥返送経路１７とに接続され、さらに、この汚泥返送経路１６は分配弁１８を介して台所２０の排水路２０ａと便所２１の排水路２１ａとに接続されているとともに、この汚泥返送経路１７は分配弁１９を介して風呂場２２の排水路２２ａと洗濯場２３の排水路２３ａと洗面所２４の排水路２４ａとに接続されている。台所２０の排水路２０ａは主にシンクに接続されたものであり、便所２１の排水路２１ａは主に水洗便所の便器に接続されたものである。風呂場２２の排水路２２ａは主に浴槽の排水口や洗い場の排水口に接続されたものであり、洗濯場２３の排水路２３ａは主に洗濯機の排水口に接続されたものであり、洗面所２４の排水路２４ａは主に洗面台の排水口に接続されたものである。
【００１９】
この台所２０の排水路２０ａからの排水２５と、この便所２１の排水路２１ａからの排水２６とには、それぞれ、前記固液分離部４からの処理汚泥１３が混合されて前記混合汚泥３０，３１となり、耐気性部１で流入汚水７に混合される。
【００２０】
この風呂場２２の排水路２２ａからの排水２７と、この洗濯場２３の排水路２３ａからの排水２８と、この洗面所２４の排水路２４ａからの排水２９とには、それぞれ、前記固液分離部４からの処理汚泥１３が混合されて前記混合汚泥３２，３３，３４となり、微好気性部３で処理汚水９に混合される。
【図面の簡単な説明】
【００２１】
【図１】（ａ）は本実施形態にかかる汚水処理装置を概略的に示すシステム図であり、（ｂ）は流入汚水と汚泥との混合部を概略的に示す部分拡大図である。
【符号の説明】
【００２２】
1…耐気性部(嫌気処理部)、２…絶対嫌気性部(嫌気処理部)、３…好気処理部、４…固液分離部、７…流入汚水、９…処理汚水、１０…処理汚水、１３…処理汚泥、１４…処理水、２０…台所、２１…便所、２２…風呂場、２３…洗濯場、２４…洗面所、２５…台所の排水、２６…便所の排水、２７…風呂場の排水、２８…洗濯場の排水、２９…洗面所の排水、３０，３１，３２，３３，３４…混合汚泥。
【図１】
2006181466.tif 000003